(57)【要約】【目的】エアコンの吹出口に取り付けて、冷気や暖気を拡散して、該冷気や暖気が直接人にあたり不快感をあたえているのを防止するエアコン吹出口の風向調整用ルーバー取付構造を提供する。【構成】エアコンの吹出口縁部近傍に両面粘着テープ等を介して取り付けられる一対の固定板、該一対の固定板の表面にそれぞれ形成される嵌合溝、該それぞれの嵌合溝に嵌脱自在なＴ字型固定部を有する一対の支持アーム、該一対の支持アームの先端部から互いに対向し突出して設けられた一対の軸受け部、該軸受け部間に風向調整用ルーバーを回転自在に挟持してなり利用者が任意に風向調整用ルーバーの回転角度を可変とすることを特徴とする。【選択図】　　　図１
2004138363.tif 000002
【特許請求の範囲】
【請求項１】
エアコン外装部の吹出口縁部近傍に取り付けられる一対の固定板、該一対の固定板の表面にそれぞれ形成される嵌合溝、該それぞれの嵌合溝に嵌脱自在なＴ字型固定部を有する一対の支持アーム、該一対の支持アームの先端部から互いに対向し突出して設けられた一対の軸受け部、該軸受け部間に風向調整用ルーバーを回転自在に挟持して利用者が任意に風向調整用ルーバーの回転角度を可変としたことを特徴とするエアコン吹出口の風向調整用ルーバー取付構造。
【請求項２】
前記一対の固定板の取り付けが、両面粘着テープを介してなされること、
を特徴とする請求項１記載のエアコン吹出口の風向調整用ルーバー取付構造。
【請求項３】
前記風向調整用ルーバーが円弧状断面を有する短冊形状を有し、該風向調整用ルーバーは長手方向両端部にそれぞれ回転軸を有し、前記支持アームの先端部から互いに対向し突出して設けられた一対の軸受け部間に軸架されていること、
を特徴とする請求項１記載のエアコン吹出口の風向調整用ルーバー取付構造。
【発明の詳細な説明】
【０００１】
【発明の属する分野】
本発明はエアコンの吹き出す冷気または暖気を種々の方向に拡散させるためのエアコン吹出口の風向調整用ルーバー取付構造に関するものであり、特に本発明は、業務用としてオフィス等の天井に該天井と略同一面上に凹凸なしで取付られる天井埋め込み型エアコンに於ける、エアコン吹出口の風向調整用ルーバー取付構造に関するものである。
【０００２】
【従来の技術】
エアコンの吹出口には通常、吹出口内部に可動ルーバーが取り付けられており、該可動ルーバーの角度をコントロールして風向を設定したり、自動的に風向が変化できるような制御装置が組み込まれている。
【０００３】
しかしながら、設定された風向は、決められた位置に事務机を配置して仕事をしている者にとっては、直接冷気や暖気があたり、不快感をあたえている。また、前記自動的に風向変化ができるようにエアコンを設定したとしても、周期的にやってくる冷気や暖気の風は強烈で、書類をなびかせたり、当該部にて仕事をしている者に不快感をあたえており、この現象は、エアコンの冷暖房効率がアップすればするほど冷気や暖気の吹出しが強烈になり、問題となってきた。
【０００４】
上記の問題を解決するため、従来、エアコンの吹出口に風向を変えるためのルーバーや翼形状板を外付けする装置が種々商品化されているが、それらの従来商品は、エアコンの外部への取付機構、吹出口に対するルーバー等板状体の取付位置調整機構、ルーバー等板状体の方向調整機構が組み込まれていて複雑な構成となっているため、部品数が多く価格が高い。
【０００５】
また各部品等を接続するため、頭部に摘子を有するビス等、人により締め付け状態の異なる方法により螺着していることや、ルーバー等板状体を吹出口に配置するための支持アームが一般的にはアーム固定位置より長く伸びている構造であったり、該支持アームが途中で二分割されていてルーバー等板状体の方向調整用摘子を介して回転可能に螺着されていることから、冷気や暖気の吹き出しにより、ルーバー等板状体が振動して振動音を発生させている。
【０００６】
【発明が解決しようとする課題】
本発明は上記問題に鑑みなされたもので、エアコンの吹き出す冷気や暖気を一旦ルーバーに衝突させて拡散する外付けの吹出口風向調整用ルーバー取付構造に関するものであり、本発明は部品数を極端に減らし、シンプルで安価な商品を提供するものであり、且つ、各部品の接続並びに固定方法は摘子による螺着等、人によって締め付け状態の異なる方法は採用せず、嵌合、軸架のみのシンプル構造とし、更に、風向調整用ルーバーの支持アームは、単一部材となし、エアコンの吹出口縁部近傍に、例えば、両面粘着テープや吸着盤等を介して止着される固定板に嵌着する構成として、支持アームの長さを短く、途中で接続構造のないものにして、冷気や暖気の吹き出しにより、風向調整用ルーバーが振動して振動音を発生させない構造とした。
【０００７】
また、本発明は冷気や暖気の吹き出しにより、風向調整ルーバーに埃が付着して、汚れた場合、簡単に風向調整用ルーバーと支持アームを取り外すことが出来、洗浄または、拭き掃除をした後、装着できる外付けエアコン吹出口の風向調整用ルーバー取付構造を提供することを目的とするものである。
【０００８】
【課題を解決するための手段】
本発明に係るエアコン吹出口の風向調整用ルーバー取付構造は、エアコンの吹出口近傍に、例えば、両面粘着テープや吸着盤等を介して止着される一対の固定板、該一対の固定板に表面にそれぞれ形成される嵌合溝、該それぞれの嵌合溝に嵌脱自在なＴ字型固定部を有する一対の支持アームより成り、該一対の支持アームの先端部から互いに対向し突出して設けられた一対の軸受け部、該軸受け部間に風向調整用ルーバーを回転自在に挟持して、利用者が任意に風向調整用ルーバーの回転角度を可変できる構成とした。
【０００９】
而して、本発明は、前記風向調整用ルーバーが円弧状断面を有する短冊形状を有し、該風向調整用ルーバーは長手方向両端部にそれぞれ回転軸を有し、前記支持アームの先端部から互いに対向し突出して設けられた一対の軸受け部に軸架されている構成とした。
【００１０】
従って、部品数は、一対の固定板、一対の支持アーム、風向調整用ルーバーと極端に少なくなり、シンプルで安価な商品が提供できる。
【００１１】
また、各部品の接続並びに固定方法は、固定板が、このましくは、ビスいらずの両面粘着テープを使用してエアコン外装部の吹出口縁部近傍に取り付けられ、該固定板と支持アームは固定板の表面に形成される嵌合溝に、支持アームに一体成形されたＴ字型固定部を嵌着して固定され、風向調整用ルーバーは支持アーム先端部から互いに対向し突出して設けられた一対の軸受け部間に軸架された構成で、確実に各部材間の接続並びに固定ができ、支持アームを極端に短くすることにより、冷気や暖気の吹き出しにより、風向調整用ルーバーが振動して振動音を発生させない構造とした。
【００１２】
更に、本発明にあっては、冷気や暖気の吹き出しにより、風向調整用ルーバーに埃が付着した場合、固定板より支持アームを取り外すことができ、洗浄または拭き掃除をした後、支持アームと風向調整用ルーバーを元のように装着できるよう、固定板の嵌合溝に嵌挿される支持アームのＴ字固定部を嵌脱自在に構成した。
【００１３】
【発明の実施の形態】
本発明の実施の形態を図１乃至図４に基づき詳説する。図１はエアコンの吹出口に風向調整用ルーバーを取り付けた状態を示す正面図、図２は図１のＡ−Ａ断面図、図３は支持アームと風向調整ルーバーを固定板に嵌着する状態を示す説明図、図４は天井組み込み型エアコンに本発明の風向調整用ルーバーを取り付けた状態を説明する天井伏せ図を示している。
【００１４】
図１乃至図４において、１はエアコンの外装部、２はエアコンの吹出口、３ａ、３ｂは一対の固定板を示している。該固定板３ａ、３ｂはエアコンの外装部１の吹出口２の縁部近傍に両面粘着テープ等からなる止着部４ａ、４ｂを介してそれぞれ取り付けられており、その表面には嵌合溝５ａ、５ｂがそれぞれ形成されている。
【００１５】
６ａ、６ｂは一対の支持アームを示しており、該支持アーム６ａ、６ｂは一端にＴ字型固定部７ａ、７ｂを有しており、他端先端部には互いに対向し突出して設けられた一対の軸受け部８ａ、８ｂを有しており、前記、支持アーム６ａ、６ｂとＴ字型固定部７ａ、７ｂ及び軸受け部８ａ、８ｂはそれぞれ一体成形にて製作されている。
【００１６】
また、支持アーム６ａ、６ｂのＴ字型固定部７ａ、７ｂは、前記固定板３ａ、３ｂの表面に形成された嵌合溝５ａ、５ｂにそれぞれ嵌脱自在に挿嵌されており、例えば、支持アーム６ａ　のＴ字型固定部７ａの嵌合溝５ａへの挿嵌方法は、図３に示す如く矢印９の動作を行うことにより、簡単に行え、取り外しの際には、逆動作を行えばよい。
【００１７】
風向調整用ルーバー１０は、円弧状断面を有する短冊形状をしており、該風向調整用ルバー１０は、長手方向両端部に回転軸１１ａ、１１ｂを有しており、該回転軸１１ａ、１１ｂはそれぞれ前記支持アーム６ａ、６ｂの先端部から互いに突出して設けられた一対の軸受け部８ａ、８ｂ間に軸架され、支持アーム６ａと支持アーム６ｂ間にて回転自在に挟持された状態にて保持されている。
【００１８】
従って、前記風向調整ルーバー１０の角度調整は、利用者がエアコン吹出口２からの冷気、または暖気に対して、凹面が仰角になるように風向調整ルーバー１０を回動させて風向を天井側に拡散させたり、エアコン吹出口２からの冷気、または暖気に対して凸面が仰角になるように風向調整ルーバー１０を回動させて風向を緩やかな下側に拡散可能であり、冷気や暖気の拡散は部屋全体の温度の平均化に役立ち、エアコン吹出口の真下や、設定された風向位置にて仕事をしている者に直接、冷気や暖気があたり不快感をあたえることを防止できる。
【００１９】
図４は天井組み込み型のエアコンに、本発明の風向調整用ルーバーをどの様に設置するかをエアコン全体図の中で説明するものである。図４において、１は天井伏せ図にて見えるエアコン外装部、２ａ、２ｂ、２ｃ、２ｄはエアコン吹出口、１２はエアコンの吸気口を示している。
【００２０】
図４においては、エアコン吹出口２ａにのみ、一対の固定板３ａ、３ｂと一対の支持アーム６ａ、６ｂ及び風向調整用ルーバー１０からなる極めて部品数の少ないシンプル構成の風向調整用ルーバーを取り付けており、該図４において、他の吹出口２ｂ、２ｃ、２ｄにも同様の構成からなる風向調整用ルーバーを取付できることは言うまでもないことである。
【００２１】
また、図５は壁面に取り付けられるエアコンに本発明のエアコン吹出口の風向調整用ルーバー取付構造を実施した例を示すもので、図５において、１３は建物壁面、１４は建物壁面に設置された横型エアコンの外装部、２はエアコン吹出口である。
【００２２】
前記エアコン外装部１４には、両面粘着テープ等からなる止着部４ｂを介して固定板３ｂが固着されており、該固定板３ｂの嵌合溝５ｂには、支持アーム６ｂのＴ字型固定部７ｂが嵌脱自在に嵌挿されている。
【００２３】
風向調整用ルーバー１０は、前記実施例と同様に両端部に回転軸１１ａ（図示せず）、１１ｂを有しており、該回転軸１１ａ、１１ｂが一対の支持アーム６ａ（図示せず）、６ｂ間で軸受け部８ａ、８ｂによって軸架されており、風向調整用ルーバー１０は前記一対の支持アーム６ａ、６ｂに対して回動可能であり、吹出口２からの冷気や暖気に対して任意方向に仰角を可変できる。
【００２４】
斯くして、本実施例においては、前記実施例と同様の構成において本発明が天井埋め込み型エアコンのみならず、他の業務用エアコン、または家庭用エアコンにも十分使用できる汎用型であることを示している。
【００２５】
また、本発明に使用される固定板３ａ、３ｂ、支持アーム６ａ、６ｂ及び風向調整用ルーバー１０は合成樹脂等軽量で複雑形状が成型できる材料であればよく、構成においても、本発明の趣旨を変えることなく種々の変形及び変様が可能であることは言うまでもない。
【００２６】
【発明の効果】
以上述べたように本発明のエアコン吹出口の風向調整用ルーバー取付構造は、エアコンの吹出口２の縁部近傍に両面粘着テープ等からなる止着部４ａ、４ｂを介して取り付けられる固定板３ａ、３ｂ、該一対の固定板表面にそれぞれ形成される嵌合溝５ａ、５ｂ、該それぞれの嵌合溝に着脱自在なＴ字型固定部７ａ、７ｂを有する一対の支持アーム６ａ、６ｂ、該一対の支持アーム先端部から互いに対向し突出して設けられた一対の軸受け部８ａ、８ｂ、該軸受け部間に風向調整用ルーバー１０を回転自在に挟持して、利用者が任意に風向調整用ルーバー１０の回転角度を可変できる構成とした。
【００２７】
また、本発明は、前記風向調整用ルーバー１０が円弧状断面を有する短冊形状を有し、該風向調整用ルーバーは長手方向両端にそれぞれ回転軸１１ａ、１１ｂを有し、前記支持アーム６ａ、６ｂの先端部から互いに対向し突出して設けられた一対の軸受け部８ａ、８ｂ間に軸架されている構成とした。
【００２８】
従って、部品数は、一対の固定板３ａ、３ｂ、一対の支持アーム６ａ、６ｂ、風向調整用ルーバー１０と従来商品と比較して、極端に少なくなり、シンプルで安価な商品が提供できる。
【００２９】
また、各部品の接続並びに固定方法は、固定板３ａ、３ｂが、好ましくは、ビスいらずの両面粘着テープ等からなる止着部４ａ、４ｂを使用してエアコン外装部１の吹出口２縁部近傍に止着固定され、該固定板と支持アーム６ａ、６ｂは固定板の表面に形成される嵌合溝５ａ、５ｂに支持アームのＴ字型固定部７ａ、７ｂをそれぞれ嵌挿して固定され、風向調整用ルーバー１０は支持アーム６ａ、６ｂにそれぞれ設けられた軸受け部８ａ、８ｂ間に軸架された構成で、確実に各部材間の接続並びに固定ができ、且つ、前記支持アームを一体物で該長さを極端に短くすることにより、冷気や暖気の吹き出しにより、風向調整用ルーバー等が振動して振動音を発生させないルーバー取付構造を実現できた。
【００３０】
更に、本発明にあっては、冷気や暖気の吹き出しにより、風向調整用ルーバーに埃が付着して汚れた場合、固定板３ａ、３ｂより支持アーム６ａ、６ｂを簡単に取り外すことができ、洗浄や拭き掃除をした後、支持アーム６ａ、６ｂと風向調整ルーバー１０を元のように装着できるルーバー取付構造を具現可能にした等本発明を実施した効果は大きい。
【図面の簡単な説明】
【図１】エアコンの吹出口に本発明を取り付けた状態を示す正面図である。
【図２】図１のＡ−Ａ断面図である。
【図３】支持アームと風向調整ルーバーを固定板に嵌挿する動作説明図である。
【図４】天井組み込み型エアコンに本発明を取り付けた状態を示す天井伏せ図である。
【図５】本発明の他の実施例を示す説明図である。
【符号の説明】
１　エアコンの外装部
２　エアコンの吹出口
３ａ、３ｂ　固定板
４ａ、４ｂ　固定板の止着部
５ａ、５ｂ　嵌合溝
６ａ、６ｂ　支持アーム
７ａ、７ｂ　Ｔ字型固定部
８ａ、８ｂ　軸受け部
９　矢印
１０　風向調整用ルーバー
１１ａ、１１ｂ　回転軸
１２　エアコンの吸気口
１３　建物壁面
１４　横型エアコンの外装面
【図１】
2004138363.tif 000003
【図２】
2004138363.tif 000004
【図３】
2004138363.tif 000005
【図４】
2004138363.tif 000006
【図５】
2004138363.tif 000007